(57)【要約】  カートンが、容器及び他の物品をカートンの外部にディスプレイすることができるようにするディスプレイパターンを含む。
2008531415.tif 000002
【特許請求の範囲】
【請求項１】
カートンを形成するためのブランクであって、
第１のサイドパネルと、
トップパネルと、
第２のサイドパネルと、
ボトムパネルと、
該ブランクの第１の周辺領域に沿って延びる少なくとも１つの第１の端部フラップと、
該ブランクの第２の周辺領域に沿って延びる少なくとも１つの第２の端部フラップと、
少なくとも前記トップパネルと前記第１のサイドパネルとに延在する少なくとも１つの第１のディスプレイパターンと
を備え、前記少なくとも１つの第１のディスプレイパターンは、前記第１のサイドパネルに少なくとも１つの第１のサイドディスプレイパネル、及び前記トップパネルに少なくとも１つの第１のトップディスプレイパネルを画定し、
前記少なくとも１つの第１のサイドディスプレイパネルは、前記少なくとも１つの第１のディスプレイパターンに沿って前記第１のサイドパネルから少なくとも部分的に分離可能であり、前記少なくとも１つの第１のトップディスプレイパネルは、前記少なくとも１つの第１のディスプレイパターンに沿って前記トップパネルから少なくとも部分的に分離可能である、カートンを形成するためのブランク。
【請求項２】
前記少なくとも１つの第１のディスプレイパターンは、前記第１のサイドパネル及び前記トップパネルに延びる分断線によって画定される、請求項１に記載のブランク。
【請求項３】
前記少なくとも１つの第１のサイドディスプレイパネルは、前記少なくとも１つの第１のトップディスプレイパネルに折り曲げ可能に接続される、請求項２に記載のブランク。
【請求項４】
前記少なくとも１つの第１のサイドディスプレイパネルは、前記第１のサイドパネルに折り曲げ可能に接続され、前記少なくとも１つの第１のトップディスプレイパネルは、前記トップパネルに折り曲げ可能に接続される、請求項３に記載のブランク。
【請求項５】
前記少なくとも１つの第１のサイドディスプレイパネルは、折り曲げ可能に接続される２つの第１のサイドディスプレイパネルを含む、請求項４に記載のブランク。
【請求項６】
前記分断線は、前記第１のサイドパネルに延びる２つの離間した分断線を含む、請求項４に記載のブランク。
【請求項７】
前記少なくとも１つの第１のディスプレイパターンは、前記第１のサイドパネルと前記トップパネルとに形成される複数の第１のディスプレイパターンを含み、該第１のディスプレイパターンは、互いに離間している、請求項３に記載のブランク。
【請求項８】
少なくとも前記トップパネルと前記第２のサイドパネルとに延在する少なくとも１つの第２のディスプレイパターンをさらに備え、
該少なくとも１つの第２のディスプレイパターンは、前記第２のサイドパネルに少なくとも１つの第２のサイドディスプレイパネル、及び前記トップパネルに少なくとも１つの第２のトップディスプレイパネルを画定し、
前記少なくとも１つの第２のサイドディスプレイパネルは、前記少なくとも１つの第２のディスプレイパターンに沿って前記第２のサイドパネルから少なくとも部分的に分離可能であり、前記第２のトップディスプレイパネルは、前記少なくとも１つの第２のディスプレイパターンに沿って前記トップパネルから少なくとも部分的に分離可能である、請求項２に記載のブランク。
【請求項９】
前記ボトムパネルに少なくとも部分的に形成されるディスペンサパターンをさらに備える、請求項１に記載のブランク。
【請求項１０】
カートンであって、
トップパネルと、
前記トップパネルの第１の側に隣接する第１のサイドパネルと、
前記トップパネルの第２の側に隣接する第２のサイドパネルと、
前記第１のサイドパネル及び前記第２のサイドパネルに隣接するボトムパネルと、
該カートンの第１の端部にある第１の端部パネルと、
該カートンの第２の端部にある第２の端部パネルと、
少なくとも前記トップパネルと前記第１のサイドパネルとに延在する少なくとも１つの第１のディスプレイパターンと
を備え、前記少なくとも１つの第１のディスプレイパターンは、少なくとも１つの第１のディスプレイパネルを画定し、該少なくとも１つの第１のディスプレイパネルは、少なくとも１つの第１のディスプレイ受け口を形成するように前記少なくとも１つの第１のディスプレイパターンに沿って該カートンの残りの部分から少なくとも部分的に分離可能とされていて、該カートンの内部に延在するようにして前記少なくとも１つの第１のディスプレイ受け口の支持面を画定する、カートン。
【請求項１１】
前記少なくとも１つの第１のディスプレイパネルは、
前記第１のサイドパネルに少なくとも１つの第１のサイドディスプレイパネルと、
前記トップパネルに少なくとも１つの第１のトップディスプレイパネルと
を備え、前記少なくとも１つの第１のサイドディスプレイパネルは、前記少なくとも１つの第１のディスプレイパターンに沿って前記第１のサイドパネルから少なくとも部分的に分離可能とされていて、前記少なくとも１つの第１のトップディスプレイパネルは、前記少なくとも１つの第１のディスプレイパターンに沿って前記トップパネルから少なくとも部分的に分離可能とされている、請求項１０に記載のカートン。
【請求項１２】
前記少なくとも１つの第１のディスプレイパターンは、前記第１のサイドパネル及び前記トップパネルに延びる分断線によって画定される、請求項１１に記載のカートン。
【請求項１３】
前記少なくとも１つの第１のサイドディスプレイパネルは、前記少なくとも１つの第１のトップディスプレイパネルに折り曲げ可能に接続されている、請求項１２に記載のカートン。
【請求項１４】
前記少なくとも１つの第１のサイドディスプレイパネルは、前記第１のサイドパネルに折り曲げ可能に接続されていて、前記少なくとも１つの第１のトップディスプレイパネルは、前記トップパネルに折り曲げ可能に接続されている、請求項１３に記載のカートン。
【請求項１５】
前記少なくとも１つの第１のサイドディスプレイパネルは、折り曲げ可能に接続されている２つの第１のサイドディスプレイパネルを含む、請求項１４に記載のカートン。
【請求項１６】
前記分断線は、前記第１のサイドパネルに延びる２つの離間した分断線を含む、請求項１４に記載のカートン。
【請求項１７】
前記少なくとも１つの第１のディスプレイパターンは、前記第１のサイドパネル及び前記トップパネルに形成される複数の第１のディスプレイパターンを含み、該第１のディスプレイパターンは、互いに離間している、請求項１３に記載のカートン。
【請求項１８】
少なくとも前記トップパネルと前記第２のサイドパネルとに延在する少なくとも１つの第２のディスプレイパターンをさらに備え、
該少なくとも１つの第２のディスプレイパターンは、前記第２のサイドパネルに少なくとも１つの第２のサイドディスプレイパネルを画定し、前記トップパネルに少なくとも１つの第２のトップディスプレイパネルを画定し、
前記少なくとも１つの第２のサイドディスプレイパネルは、前記少なくとも１つの第２のディスプレイパターンに沿って前記第２のサイドパネルから少なくとも部分的に分離可能とされていて、前記少なくとも１つの第２のトップディスプレイパネルは、前記少なくとも１つの第２のディスプレイパターンに沿って前記トップパネルから少なくとも部分的に分離可能とされている、請求項１２に記載のカートン。
【請求項１９】
ほぼ平行六面体である、請求項１０に記載のカートン。
【請求項２０】
請求項１０に記載のカートンと該カートン内の複数の物品との組み合わせ。
【請求項２１】
物品をディスプレイする方法であって、
請求項１０に記載のカートンを準備し、
前記少なくとも１つの第１のディスプレイパネルを前記カートンの内部に押し込み、少なくとも１つの第１のディスプレイ受け口を形成し、
物品の大部分が前記カートンの外部に存在するように、前記少なくとも１つの第１のディスプレイ受け口に前記物品を装填すること
を含む物品をディスプレイする方法。
【請求項２２】
物品をディスプレイする方法であって、
トップパネル、第１のサイドパネル、第２のサイドパネル、ボトムパネル、第１の端部パネル、第２の端部パネル、及び少なくとも１つのディスプレイパターンを有するカートンを準備し、
前記少なくとも１つのディスプレイパターンを破断して少なくとも１つのディスプレイ受け口を形成し、
前記ディスプレイ受け口に物品を装填すること
を含む、物品をディスプレイする方法。
【請求項２３】
前記カートン内に複数の物品を入れ、
前記物品を前記ディスプレイ受け口に装填する前に、前記カートンから前記物品の１つ又は複数を取り出すこと
をさらに含む、請求項２２に記載の物品をディスプレイする方法。
【請求項２４】
前記少なくとも１つのディスプレイパターンは、前記物品の支持面として機能する少なくとも１つのディスプレイパネルを画定する、請求項２３に記載の物品をディスプレイする方法。
【請求項２５】
前記カートンはほぼ平行六面体であり、前記物品は容器である、請求項２４に記載の物品をディスプレイする方法。
【請求項２６】
前記少なくとも１つのディスプレイパターンを破断することは、少なくとも１つのディスプレイパネルを前記カートンの内部に押し込むことを含み、該少なくとも１つのディスプレイパネルは、前記トップパネルに取り付けられたままである、請求項２４に記載の物品をディスプレイする方法。
【請求項２７】
物品をディスプレイする方法であって、
トップパネルと、前記トップパネルの第１の側に隣接する第１のサイドパネルと、前記トップパネルの第２の側に隣接する第２のサイドパネルと、前記第１のサイドパネル及び前記第２のサイドパネルに隣接するボトムパネルと、該カートンの第１の端部にある第１の端部パネルと、該カートンの第２の端部にある第２の端部パネルと、少なくとも前記トップパネルと前記第１のサイドパネルとに延在し折り曲げ可能に接続される少なくとも２つの第１のディスプレイパネルを画定する少なくとも１つの第１のディスプレイパターンとを備える、カートンを準備し、
前記少なくとも１つの第１のディスプレイパターンを破断して少なくとも１つの第１のディスプレイ受け口を形成し、
前記少なくとも１つのディスプレイ受け口に物品を装填することを含み、前記折り曲げ可能に接続される少なくとも２つの第１のディスプレイパネルの少なくとも一方で該物品が支持される、物品をディスプレイする方法。
【請求項２８】
前記カートンはほぼ平行六面体であり、前記物品は容器である、請求項２７に記載の物品をディスプレイする方法。
【請求項２９】
前記ディスプレイパターンを破断することは、少なくとも２つのディスプレイパネルを前記カートンの内部に押し込むことを含み、該少なくとも２つのディスプレイパネルは、前記トップパネル及び前記第１のサイドパネルに取り付けられたままである、請求項２８に記載の物品をディスプレイする方法。
【請求項３０】
前記カートンはディスペンサを備え、前記方法は、
前記カートンに複数の物品を入れ、
前記ディスペンサを開き、
前記物品を前記少なくとも１つの第１のディスプレイ受け口に装填する前に、前記ディスペンサを通して前記物品の１つ又は複数を取り出すこと
をさらに含む、請求項２９に記載の物品をディスプレイする方法。
【発明の詳細な説明】
【背景技術】
【０００１】
［関連出願］
本願は、２００５年２月２５日に出願された米国仮出願第６０／６５６，２４０号の優先権を主張するものであり、その出願の全内容が参照により本明細書に援用される。
【発明の開示】
【発明が解決しようとする課題】
【０００２】
ディスペンサ（物品小出し）特徴部を有する密閉カートンが従来用いられていた。これらのカートンの多くは、引裂き線によって画定されるディスペンサを含む。ディスペンサは、物品をカートンから取り出すことができる開口を作るために、カートンから除去可能である。しかしながら、このようなディスペンサでは、カートン内に保持されている容器がほとんど又は全く見えない。
【課題を解決するための手段】
【０００３】
本発明の第１の例示的な実施の形態によれば、カートンは、トップパネル、第１のサイドパネル、第２のサイドパネル、ボトムパネル、第１の端部パネル、第２の端部パネル、及び少なくとも１つのディスプレイ（陳列）パターンを備える。ディスプレイパターンは、ディスプレイパターンに沿ってサイドパネル及びトップパネルから部分的に分離することができるディスプレイパネルを画定する。ディスプレイパネルをカートン内部に押し込んで、ディスプレイ受け口を形成することができる。物品をディスプレイ受け口に装填してディスプレイ即ち陳列させることができるため、物品がカートン外部から見えるようになる。
【０００４】
第１の例示的な実施の形態の一態様によれば、カートンは、例えば複数のディスプレイパターンを含むことができる。ディスプレイパターンは、カートンの第１の側及び第２の側の一方又は両方に沿って配置することができ、物品を異なる高さ及び／又は間隔で支持するように構成することができる。したがって、ディスプレイパターンは、さまざまなディスプレイオプションを提供する。
【０００５】
第１の例示的な実施の形態の別の態様によれば、カートンは、カートン内に収容されている物品をディスプレイ受け口に陳列する前に取り出すことができるディスペンサ（小出し口）を含むことができる。
【０００６】
添付図面を参照して以下の実施形態の詳細な説明を読めば、上述の利点及び他の利点、並びに種々のさらなる実施形態の利益が当業者には理解されるであろう。
【０００７】
慣習に従い、後述する図面の種々の特徴は必ずしも一定の縮尺で描かれていない。図面における種々の特徴及び要素の寸法は、本発明の実施形態をより明確に説明するために拡大又は縮小されている場合がある。
【発明を実施するための最良の形態】
【０００８】
本発明は、包括的には、容器等の物品をカートンの外部に見せる(display)ことを可能にするディスプレイ特徴部を有するカートンに関する。本発明は、例えば食品及び飲料等の物品又は他の製品を収容するカートンで例えば用いることができる。物品は、例えば、缶、瓶、ペットボトル容器等の飲料容器、又は食料品の包装に用いられるもの等の他の容器も含むことができる。
【０００９】
本発明の範囲を限定する目的ではなく説明の目的のために、以下の詳細な説明は、飲料容器缶を、カートンの実施形態内に配置されてディスプレイされるものとして説明する。本明細書では、「下側」、「ボトム」、「上側」、及び「トップ」という用語は、完全に組み立てられてディスプレイ即ちディスプレイ態様にあるカートンに関して規定される向き(orientation)を指す。
【００１０】
図１は、本発明の第１の実施形態によるカートン１９０（図２に示す）を形成するのに用いられるブランク８の平面図である。カートンブランク８は、第１の横方向折り線２１でトップパネル２０に折り曲げ可能に接続される第１のサイドパネル１０、第２の横方向折り線３１でトップパネル２０に折り曲げ可能に接続される第２のサイドパネル３０、及び第３の横方向折り線４１で第２のサイドパネル３０に折り曲げ可能に接続されるボトムパネル４０を備える。接着フラップ５０を、第５の横方向折り線５１で第１のサイドパネル１０に折り曲げ可能に接続することができる。第１のサイドパネル１０は、第１のサイド端部フラップ１２、１４に折り曲げ可能に接続される。トップパネル２０は、トップ端部フラップ２２、２４に折り曲げ可能に接続される。第２のサイドパネル３０は、第２のサイド端部フラップ３２、３４に折り曲げ可能に接続される。ボトムパネル４０は、ボトム端部フラップ４２、４４に折り曲げ可能に接続される。
【００１１】
カートン１９０を組み立てると、端部フラップ１２、２２、３２、４２は、カートン１９０の第１の端部を閉じ、端部フラップ１４、２４、３４、４４は、カートン１９０の第２の端部を閉じる。端部フラップ１２、２２、３２、４２は、ブランク８の第１の周辺領域に沿って延び、ブランク８の長さに沿って延びる第１の縦方向に延びる折り線６２で折り曲げ可能に接続され得る。端部フラップ１４、２４、３４、４４は、ブランク８の第２の周辺領域に沿って延び、ブランク８の長さに沿って延びる第２の縦方向に延びる折り線６４で折り曲げ可能に接続され得る。縦方向に延びる折り線６２、６４は、ほぼ直線状であると共に互いに平行であってもよい。第１の縦方向に延びる折り線６２及び第２の縦方向に延びる折り線６４は、例えばブランクの厚さ又は他の因子を考慮に入れて１つ又は複数の場所にずれていてもよい。折り線６２、６４に沿った１つ又は複数の場所に切れ目を形成して、端部フラップを折り曲げやすくしてもよい。
【００１２】
ブランク８は、ディスペンサパターン７０を含み得る。当該ディスペンサパターン７０は、組み立てられたカートン１９０（図２に示す）から物品を小出しするために開くことができる。ディスペンサパターン７０は、主にボトムパネル４０にディスペンサパネル７８を画定する第１の引裂き線７２、第２の引裂き線７４、及び第３の引裂き線７６を備える。ディスペンサパターン７０は、例示的なものであり、本発明の原理に従ってカートンで他のディスペンサパターンを用いてもよい。
【００１３】
本発明の一態様によれば、カートン１９０は、ブランク８に形成された分断線又は弱化線の第１の組のディスプレイパターン１００及び第２の組のディスプレイパターン１３０によって画定される、複数のディスプレイ特徴部を含む。ブランク８は、第１のサイドパネル１０及びトップパネル２０にほぼ沿って配置される３つの第１のディスプレイパターン１００と、第２のサイドパネル３０及びトップパネル２０にほぼ沿って配置される３つの第２のディスプレイパターン１３０とを有するものとして図示されている。第１のディスプレイパターン１００及び第２のディスプレイパターン１３０は、物品をカートン１９０内に配することができ、かつカートン１９０の外面において見ることができるディスプレイ形態にすることを可能ならしめる。
【００１４】
第１のディスプレイパターン１００は、第１のサイドパネル１０とトップパネル２０とに延在する。第１のディスプレイパターン１００は、第１のサイドパネル１０においてディスプレイパターン１００の両側部を画定する側部引裂き線１０２及び１０４を備える。側部引裂き線１０２、１０４は、トップパネル２０の湾曲側部引裂き線１２６、１２８のそれぞれまで延びてこれらとつながる。横方向折り線１０６、１０８、２１、１１０が、第１のディスプレイパターン１００を、折り曲げ可能に接続される第１のディスプレイパネル１２０、１２２、１２４に分割する。第１のディスプレイパネル１２０、１２２、１２４は、第１のディスプレイパターン１００をディスプレイ形態にしたときに物品Ａを支持する役割を果たす。
【００１５】
第２のディスプレイパターン１３０は、第２のサイドパネル３０とトップパネル２０とに延在する。第２のディスプレイパターン１３０は、第２のサイドパネル３０において第２のディスプレイパターン１３０の両側部を画定する側部引裂き線１３２、１３４を備える。側部引裂き線１３２、１３４は、トップパネル２０の湾曲側部引裂き線１４６、１４８のそれぞれまで延びてこれらとつながる。横方向折り線１３６、１３８、３１が、第２のディスプレイパターン１３０を、折り曲げ可能に接続される第２のディスプレイパネル１４２、１４４に分割する。ディスプレイパネル１４２、１４４は、第２のディスプレイパターン１３０をディスプレイ形態にしたときに物品Ａを支持する役割を果たす。
【００１６】
図１に示す引裂き線１０２、１０４、１２６、１２８、１３２、１３４、１４６、１４８は、例えば、一連の切れ目及び／または切り込み、オフセット切れ目／空間線、これらの組み合わせ、並びにブランク８に形成される他の破断可能な分断線から形成される、切れ目又は引裂き線であり得る。引裂き線は、ディスプレイパネルを組み立てられたカートン１９０の内部に押し込むことを可能にするように形成される。折り線２１、３１、４１、５１、１０６、１０８、１１０、１３６、１３８は、例えば、折り目、切れ目、切り込み、及びこれらの組み合わせによって形成される折り線であり得る。
【００１７】
１つの例示的な構成方法では、カートン１９０は、接着フラップ５０の上側面を第２のサイドパネル４０の裏面に糊付け又は他の方法で接着することによって組み立てられ、それによりパネル１０、２０、３０、４０がほぼ管状のスリーブを形成するように開かれ得る。管状のスリーブの端部は、続いて、スリーブの一方の端部で端部フラップ１２、２２、３２、４２を折り曲げて、且つ糊付け又は他の方法で接着し、スリーブの他方の端部で端部フラップ１４、２４、３４、４４を折り曲げて、且つ糊付け又は他の方法で接着することによって、閉じることができる。例えば、ほぼ円筒形の容器Ｃ等の物品を、カートンの一方又は両方の端部が端部フラップ１２、２２、３２、４２、１４、２４、３４、４４によって閉じられる前のいつでも、従来の方法で管状のスリーブに詰め込むことができる。
【００１８】
図２は、容器Ｃ（図２には図示せず）が詰め込まれて組み立てられているカートン１９０を示す。この例示的な第１の実施形態では、カートン１９０には１２個の缶容器Ｃが入っている。容器Ｃは、２列６行（２×６）の構成でカートン１９０内に配置される。組み立てられたカートン１９０では、端部フラップ１２、２２、３２、４２が第１の端部パネル１４０を形成し、端部フラップ１４、２４、３４、４４が第２の端部パネル１５０を形成する。ディスペンサパターン７０は、ボトムパネル４０に沿って配置されるため図２には示されていない。第１のディスプレイパターン１００は、トップパネル２０及び第１のサイドパネル１０に沿って延び、第２のディスプレイパターン１３０は、トップパネル２０と第２のサイドパネル３０とに沿って延在する。第１のディスプレイパターン１００は概して、第２のディスプレイパターン１３０からカートン１９０の長手方向にずれているが、それ以外の配置も本発明の範囲内にある。
【００１９】
次に、カートン１９０をディスプレイ形態にすることを、図３及び図４を参照して以下で説明する。カートン１９０をディスプレイ形態にするために、カートン１９０のディスペンサパターン７０がまず開かれて、カートン内に保持されている容器Ｃの１つ又は複数が取り出され得る。
【００２０】
図３は、第２のディスプレイパターン１３０の１つを小出し態様にする最初のステップを示す。図３では、ユーザが第２のディスプレイパターン１３０の周縁の内側を押下して、引裂き線１３２、１３４、１４６、１４８のいずれか又は全てに沿ってディスプレイパターンを引き裂く。図４は、第２のディスプレイパターン１３０が線１３２、１３４、１４６、１４８に沿って引き裂かれたところを示す。カートン１９０のディスプレイパネル１４２、１４４を内方に押すと、ディスプレイパネル１４２、１４４は、折り線１３６、１３８、３１で内方に折れるため、カートン１９０の内部に陥没する。
【００２１】
図５〜図７は、全てのディスプレイパターン１００、１３０をディスプレイ形態にしたカートン１９０を示す。第１のディスプレイパターン１００は、第１のディスプレイパネル１２０、１２２、１２４を押し込んで引裂き線１０２、１０４、１２６、１２８に沿って第１のディスプレイパターン１００を引き裂くことによって、小出し態様にされる。ディスプレイ形態では、第１のディスプレイパターン１００は第１のディスプレイ受け口１０１を形成し、第２のディスプレイパターン１３０は第２のディスプレイ受け口１３１を形成する。
【００２２】
図８及び図９は、ディスプレイ受け口１０１、１３１に容器Ｃが嵌め込まれている第１のディスプレイパターン１００及び第２のディスプレイパターン１３０を示す。この構成では、容器Ｃの底部が、支持面として機能するディスプレイパネル１２０、１４２の上面と接触する。ディスプレイ受け口１０１、１３１の周縁は、図７及び図８に示すように、容器Ｃの輪郭に適合させることができる。例えば、容器Ｃは、ほぼ円筒形として図示されており、トップパネル２０の湾曲引裂き線１２６、１２８、１４６、１４８は、円筒形の缶の周縁にほぼ一致するように選択されている。第１のディスプレイ受け口１０１及び第２のディスプレイ受け口１３１が容器Ｃに提供する高さが異なることにより、カートン１９０に異なるディスプレイ効果を与えることができる。
【００２３】
図１０は、本発明の第２の実施形態によるカートン３９０（図１１及び図１２に示す）を形成するのに用いられるブランク２０８の平面図である。ブランク２０８は、第１の横方向折り線２２１で第１のサイドパネル２２０に折り曲げ可能に接続されるボトムパネル２１０、第２の横方向折り線２３１で第１のサイドパネル２２０に折り曲げ可能に接続されるトップパネル２３０、及び第３の横方向折り線２４１でトップパネル２３０に折り曲げ可能に接続される第２のサイドパネル２４０を備える。接着フラップ２５０を、第５の横方向折り線２５１でパネル２１０に折り曲げ可能に接続してもよい。ボトムパネル２１０は、ボトム端部フラップ２１２、２１４に折り曲げ可能に接続される。第１のサイドパネル２２０は、第１のサイド端部フラップ２２２、２２４に折り曲げ可能に接続される。トップパネル２３０は、トップ端部フラップ２３２、２３４に折り曲げ可能に接続される。第２のサイドパネル２４０は、第２のサイド端部フラップ２４２、２４４に折り曲げ可能に接続される。
【００２４】
カートン３９０を組み立てると、端部フラップ２１２、２２２、２３２、２４２は、カートン３９０の第１の端部を閉じ、端部フラップ２１４、２２４、２３４、２４４は、カートン３９０の第２の端部を閉じる。端部フラップ２1２、２２２、２３２、２４２は、ブランク２０８の第１の周辺領域に沿って延び、ブランク２０８の長手方向に沿って延びる第１の縦方向に延びる折り線２６２で折り曲げ可能に接続され得る。端部フラップ２１４、２２４、２３４、２４４は、ブランク２０８の第２の周辺領域に沿って延び、ブランク２０８の長手方向に沿って延びる第２の縦方向に延びる折り線２６４で折り曲げ可能に接続され得る。縦方向に延びる折り線２６２、２６４は、ほぼ直線状であると共に互いに平行としてもよい。第１の縦方向に延びる折り線２６２、２６４は、例えばブランクの厚さ又は他の因子を考慮に入れて１つ又は複数の場所にずれていてもよい。
【００２５】
カートンブランク２０８は、ディスペンサ（物品小出し）パターン３５０を含み、当該ディスペンサパターン３５０は、組み立てられたカートン３９０（図１１及び図１２に示す）から物品を小出しにするために用いることができる。ディスペンサパターン３５０は、ユーザがディスペンサパターン３５０を開き始めることができるようにするアクセス特徴部３５２を含むことができる。ディスペンサパターン３５０は、主にボトムパネル２１０にディスペンサパネル３５４を画定する。ディスペンサパターン３５０は、例示的なものであり、本発明によるカートンで他のディスペンサパターンを用いてもよい。端部フラップ２１４、２３４のそれぞれに、引裂き線、切れ目、又は他の分断線によってハンドルセクション３６０、３６２を形成してもよい。ハンドルセクション３６０、３６２は、組み立てられたカートン３９０にハンドル（取っ手）３６４（図１１及び図１２に示す）を形成するように協働する。
【００２６】
本発明の一態様によれば、カートン３９０は、ブランク２０８の第１のディスプレイパターン３００及び第２のディスプレイパターン３３０によって画定される、複数のディスプレイ特徴部を含む。ブランク２０８は、第１のサイドパネル２２０及びトップパネル２３０にほぼ沿って並べられる２つの第１のディスプレイパターン３００と、第２のサイドパネル２４０及びトップパネル２３０にほぼ沿って並べられる２つの第２のディスプレイパターン３３０とを有するものとして図示されている。第１のディスプレイパターン３００及び第２のディスプレイパターン３３０は、カートン３９０の外部において物品を装填して陳列することを可能にするディスプレイ形態にすることができる。
【００２７】
第１のディスプレイパターン３００は、第１のサイドパネル２２０とトップパネル２３０とに延在する。第１のディスプレイパターン３００は、第１のサイドパネル２２０にディスプレイパターン３００の側部を画定する第１の側部引裂き線３０２及び３０４を備える。第１の側部引裂き線３０２、３０４は、トップパネル２３０の湾曲側部引裂き線３２６、３２８のそれぞれまで延びてこれらとつながる。横方向折り線３０６、３０８、２３１、３１０が、第１のディスプレイパターン３００を折り曲げ可能に接続されるディスプレイパネル３２０、３２２、３２４に分割する。ディスプレイパネル３２０、３２２、３２４は、第１のディスプレイパターン３００をディスプレイ形態にしたときに物品を支持する役割を果たす。
【００２８】
第２のディスプレイパターン３３０は、第２のサイドパネル２４０とトップパネル２３０とに延在する。第２のディスプレイパターン３３０は、第２のサイドパネル２４０に第２のディスプレイパターン３３０の側部を画定する第２の側部引裂き線３３２、３３４を備える。第２の側部引裂き線３３２、３３４は、トップパネル２３０の湾曲側部引裂き線３４８、３４６のそれぞれまで延びてこれらとつながる。横方向折り線３３６、２４１、３３７、３３８が、ディスプレイパターン３３０を折り曲げ可能に接続される第２のディスプレイパネル３４０、３４２、３４４に分割する。第２のディスプレイパネル３４０、３４２、３４４は、第２のディスプレイパターン３３０をディスプレイ形態にしたときに物品を支持する役割を果たす。
【００２９】
引裂き線３０２、３０４、３２６、３２８、３３２、３３４、３４６、３４８は、例えば、一連の切れ目及び／若しくは切り込み、オフセット切れ目／空間線、これらの組み合わせ、並びにブランク２０８に形成される他の破断可能な分断線から形成される、切れ目又は引裂き線であり得る。引裂き線は、ディスプレイパネルを組み立てられたカートン３９０の内部に押し込むことを可能にするように形成される。折り線２２１、２３１、２４１、２５１、３０６、３０８、３１０、３３６、３３７、３３８は、例えば、折り目、切れ目、切り込み、及びこれらの組み合わせによって形成される折り線であり得る。
【００３０】
図１１及び図１２は、容器Ｃ（図示せず）が装填され組み立てられたカートン３９０を示す。この第２の実施形態では、カートン３９０は飲料缶容器Ｃを入れるものとして図示されている。組み立てられたカートン３９０では、端部フラップ２１２、２２２、２３２、２４２が第１の端部パネル３６０を形成し、端部フラップ２１４、２２４、２３４、２４４が第２の端部パネル３７０を形成する。ディスペンサパターン３５０は、ボトムパネル２１０にディスペンサパネル３５４を画定する。第１のディスプレイパターン３００は、トップパネル２３０及び第１のサイドパネル２２０に沿って延び、第２のディスプレイパターン３３０は、トップパネル２３０及び第２のサイドパネル２４０に沿って延びる。第１のディスプレイパターン３００は概して、第２のディスプレイパターン３３０からカートン３９０の長手方向にずれているが、他の配置も本発明の範囲内にある。ハンドルセクション３６０、３６２（図１０に示す）が協働して、第２の端部パネル３７０にハンドル（取っ手）３６４を形成する。
【００３１】
次に、カートン３９０をディスプレイ形態にする一例を、図１３〜図１５を参照して以下で説明する。図１３を参照すると、カートン３９０をディスプレイ形態にするために、カートン３９０のディスペンサパターン３５０がまず開かれて、カートン内に保持されている容器Ｃの１つ又は複数が取り出され得る。図１４は、ディスプレイ形態にされた第２のディスプレイパターン３３０から形成されたディスプレイ受け口３３１に嵌め込まれた容器Ｃの１つを示す。第２のディスプレイパターン３３０は、パターン３３０の周縁内を押下して、引裂き線３３２、３３４、３４６、３４８のいずれか又は全てに沿ってパターンを引き裂くことによって、ディスプレイ形態にすることができる。図１５は、ディスプレイ形態にされた第１のディスプレイパターン３００から形成されたディスプレイ受け口３０１に嵌め込まれた容器Ｃの１つを示す。
【００３２】
ディスプレイ受け口３０１、３３１の周縁は、容器Ｃの輪郭に適合させることができる。第１のディスプレイ受け口３０１及び第２のディスプレイ受け口３３１が容器Ｃに提供する高さが異なることにより、カートン３９０に異なるディスプレイ（陳列）効果を与えることができる。
【００３３】
説明のために、本発明は、円筒形の飲料缶を収容するようなサイズ及び寸法にされる板紙カートンに関して開示されている。図面に示すカートンは、２段構成で物品を収容するようなサイズになっているが、本発明はいかなる特定のサイズ又は寸法にも限定されない。例えば、本発明は、３×４、４×３、２×４、２×５、４×６、４×５、３×６、５×６等、代替的な配置で物品を保持するようなサイズ及び形状にされる場合でも、良好に実施することができる。本発明はまた、物品への容易なアクセスを提供する付加的な開口特徴部、及びカートンの前端部に物品を位置決めする傾斜又は上昇特徴部を含む、種々の特徴部を含むカートンで用いることができる。
【００３４】
上述の実施形態によれば、ブランクは、通常の紙よりも重く硬質であるような厚さの板紙で構成され得る。ブランクは、厚紙、硬化紙、又はディスプレイ特徴部が少なくとも概ね上述のように機能できるようにするのに適した特性を有する他の材料等、他の材料で構成することもできる。ブランクは、選択されたパネル又はパネルセクションに１つ又は複数のシート状材料を積層するか又は他の方法で接着することもできる。
【００３５】
本発明によるブランクは、例えば、塗工板紙及び同様の材料から形成することができる。例えば、ブランクの内面及び／又は外面は、クレー(clay)コートでコーティングすることができる。続いて、クレーコートの上には、製品、広告、値段コード、及び他の情報又は画像を印刷してもよい。続いて、ブランクに印刷された情報を保護するために、ブランクをワニスでコーティングしてもよい。ブランクは、例えば、ブランクの片面又は両面を防湿層でコーティングすることもできる。
【００３６】
本発明の上述の実施形態によれば、折り線は、それに沿った折り曲げを容易にする、必ずしも直線状ではないがほぼ直線状の任意の弱化形態であり得る。本発明の範囲を狭めるものではないが、より詳細には、折り線は、所望の脆弱線に沿って材料に圧潰部分を作る鈍いスコアリングナイフ等で形成される線等の切り込み線、所望の脆弱線に沿って材料の厚さを貫通しない切れ目、及び／又は所望の脆弱線に沿って材料の厚さを貫通しない一連の切れ目及び／又は厚さを貫通する一連の切れ目、及びこれらの特徴の種々の組み合わせを含む。切断を用いて折り線が作られる状況では、通常、該切断部は、賢明なユーザでも誤って折り線を引裂き線又は他の分断線とみなす可能性があるほど大きすぎないようにする。
【００３７】
上記実施形態は、カートンの実施形態の組み立て時に糊によって互いに貼り合わせられる１つ又は複数のパネルを有するものとして説明されている場合がある。「糊」という用語は、カートンパネルを所定位置に固定するのに一般的に用いられるあらゆる種類の接着剤を包含することが意図される。
【００３８】
本発明の上記の説明は、本発明を例示及び説明するものである。さらに、本開示は、本発明の選択された実施形態のみを図示及び説明しているが、本発明は、種々の他の組み合わせ、変更形態、及び環境で用いることができ、本明細書で述べられているように本発明の概念の範囲内で変形又は変更を行うことができ、上記の教示と同等であり、且つ／又は関連技術の技術又は知識内にあることを理解されたい。
【図面の簡単な説明】
【００３９】
【図１】本発明の第１の実施形態によるディスプレイ特徴部を有するカートンを形成するのに用いられるブランクの平面図である。
【図２】本発明の第１の実施形態による組み立てられたカートンを示す図である。
【図３】第１のカートンの実施形態のディスプレイ特徴部にユーザがアクセスしているところを示す図である。
【図４】第１のカートンの実施形態のディスプレイ特徴部にユーザがさらにアクセスしているところを示す図である。
【図５】ディスプレイ形態の第１のカートンの実施形態を示す図である。
【図６】ディスプレイ形態の第１のカートンの実施形態を示す図である。
【図７】ディスプレイ形態の第１のカートンの実施形態を示す図である。
【図８】ディスプレイ特徴部に容器が嵌め込まれているディスプレイ形態の第１のカートンの実施形態を示す図である。
【図９】ディスプレイ特徴部に容器が嵌め込まれているディスプレイ形態の第１のカートンの実施形態を示す図である。
【図１０】本発明の第２の実施形態によるディスプレイ特徴部を有するカートンを形成するのに用いられるブランクの平面図である。
【図１１】本発明の第２の実施形態による組み立てられたカートンを示す図である。
【図１２】本発明の第２の実施形態による組み立てられたカートンを示す図である。
【図１３】第２のカートンの実施形態の開いたディスペンサ特徴部を示す図である。
【図１４】１つのディスプレイ特徴部がディスプレイ形態になっており、容器が嵌め込まれている、第２のカートンの実施形態を示す図である。
【図１５】１つのディスプレイ特徴部がディスプレイ形態になっており、容器が嵌め込まれている、第２のカートンの実施形態を示す図である。
【図１】
2008531415.tif 000003
【図２】
2008531415.tif 000004
【図３】
2008531415.tif 000005
【図４】
2008531415.tif 000006
【図５】
2008531415.tif 000007
【図６】
2008531415.tif 000008
【図７】
2008531415.tif 000009
【図８】
2008531415.tif 000010
【図９】
2008531415.tif 000011
【図１０】
2008531415.tif 000012
【図１１】
2008531415.tif 000013
【図１２】
2008531415.tif 000014
【図１３】
2008531415.tif 000015
【図１４】
2008531415.tif 000016
【図１５】
2008531415.tif 000017
【手続補正書】
【提出日】平成19年10月26日(2007.10.26)
【手続補正１】
【補正対象書類名】明細書
【補正対象項目名】０００１
【補正方法】変更
【補正の内容】
【０００１】
本発明は、包括的には、容器等の物品をカートンの外部に見せる(display)ことを可能にするディスプレイ特徴部を有するカートンに関する。本発明は、例えば食品及び飲料等の物品又は他の製品を収容するカートンで例えば用いることができる。物品は、例えば、缶、瓶、ペットボトル容器等の飲料容器、又は食料品の包装に用いられるもの等の他の容器も含むことができる。
【国際調査報告】
2008531415.tif 000018
2008531415.tif 000019
2008531415.tif 000020